(57)【要約】  【課題】施工確認対象がナットタイプの締付装置である場合において、構造が簡易でありながらヘッドの締付が完了しないと該締付装置から意図的に外すのが困難であるとともにヘッドの締付完了を目視により容易、且つ的確に判断し、さらにはコスト低減を図る。  【解決手段】座部近傍の内周部に締付装置におけるケースの外径よりも所要量小径の肉厚部２２ａを有しヘッドによる締付前に肉厚部２２ａより上方の内周部にケースの下部側が内嵌されるとともに一部の部位に破断容易性形状部２３を有する低高筒状体２２と、ヘッドに外嵌されるリング部２４と、該リング部２４及び低高筒状体２２を一体に連結する連結部２５とを備え、締付装置におけるヘッドの締付完了時にケースが下降して該ケースの下部側が肉厚部２２ａに乗り上げ低高筒状体２２における破断容易性形状部２３が破断することによりヘッドの締付完了を判断する。【選択図】図１
2013148194.tif 000002
【特許請求の範囲】
【請求項１】
ナット部としてのヘッド及びハウジングとしてのケースを備えたナットタイプの締付装置における前記ヘッドの締付完了を判断する締付装置の施工確認装置であって、
座部近傍の内周部に前記ケースの外径よりも所要量小径の肉厚部を有し前記ヘッドによる締付前に該肉厚部より上方の内周部に前記ケースの下部側が内嵌されるとともに一部の部位に破断容易性形状部を有する低高筒状体と、前記ヘッドに外嵌されるリング部と、該リング部及び前記低高筒状体を一体に連結する連結部とを備え、前記締付装置における前記ヘッドの締付完了時に前記ケースが下降して該ケースの下部側が前記肉厚部に乗り上げ前記低高筒状体における前記破断容易性形状部が破断することにより前記ヘッドの締付完了を判断することを特徴とする締付装置の施工確認装置。
【請求項２】
上記破断容易性形状部は、上記低高筒状体の高さ方向に沿って形成されるとともに高さ方向ほぼ半分の下方部分が薄肉で繋がっているスリットであることを特徴とする請求項１記載の締付装置の施工確認装置。
【請求項３】
スパナを含むヘッド回し工具を用いた上記ヘッドの締付により上記破断容易性形状部が破断した前記ヘッドの締付完了時に、上記リング部は上記ヘッドに外嵌された状態で前記ヘッド回し工具と上記ケースの上面部との間に挟まれて上記締付装置からの施工確認装置の脱落を防止する機能を有することを特徴とする請求項１又は２記載の締付装置の施工確認装置。
【発明の詳細な説明】
【技術分野】
【０００１】
本発明は、締付装置の施工確認装置に関するものであり、特に、電力関連工事用等のナットタイプの締付装置においてヘッドの締付が完了しないと該締付装置から意図的に外すのが困難であるとともにヘッドの締付が完了したことを目視により容易、且つ的確に判断することが可能な締付装置の施工確認装置に関するものである。
【背景技術】
【０００２】
締付装置の施工確認装置に関連する従来技術として、例えば、（特許文献1参照）、次のような締付装置が知られている。この従来技術は、外部のねじ軸と螺合するねじ部と、そのねじ部の周囲に配設される弾性部材と、それらの部材と反対側に設けられた第１ラチェット歯と、を有するラチェット部材と、前記第１ラチェット歯と噛み合う第２ラチェット歯と、この第２ラチェット歯とは反対側に設けられた締め込み部とを有する回転部材と、を備えて、前記ラチェット部材と外部の被締付部材との間に介在された前記弾性部材の反発力により、前記ねじ軸を締め込んで、その被締付部材を締め付ける締付装置であって、前記ラチェット部材と前記回転部材とは、前記弾性部材が所定の圧縮量になるまでは前記第１第２ラチェット歯が相互に噛み合う状態から離れないように係止され、前記弾性部材が所定の圧縮量になるとそれらが解除されるように構成され、前記回転部材は、前記ねじ軸を挿通可能な貫通穴を有して、この貫通穴に外部から挿入されて内設される締め込み施工の確認装置を備え、前記確認装置は、前記貫通穴の内面に接する内設部と、この内設部に連結されて外部に露出される視認部とを有し、前記内設部は一部が外周面から突出する係止部を有して、前記２つのラチェット歯の基体間の隙間に前記係止部が係止されるよう構成されている。
【０００３】
前記視認部は、締め込み施工の完了を確認できる表示部と、該表示部に連結されて施工後に取り去り可能な部位としてのリング状部と有して構成されている。表示部は、回転部材の締め込み部の上端部に配置される部位であり、円盤状の形状をなして中心にはねじ軸を挿通可能な挿通穴を備えている。また、リング状部は、確認装置の取り付け前には、表示部に一体的に結合されているが、施工完了後には取り去り可能な部位である。
【０００４】
締付装置は、前記のように、弾性部材が所定の圧縮量になって締付作業が完了した状態になると第１第２のラチェット歯は、噛み合い状態が解除されるので、ケース（ハウジング）は、戻しばねによって下方に引き寄せられ第１ラチェット歯がある回転部材も下方へ移動して第１第２のラチェット歯の間隔はＨとなる。
【０００５】
この締付装置の締付作業が完了した状態において、締め込み施工の確認装置が回転部材の上方から、その貫通穴に挿入される。この状態では回転部材側の第２のラチェット歯は、下がった位置にあるが確認装置を締付装置の上から挿入して、第１のラチェット歯側のラチェット部材の上面に内接部の円周端部を当接しておいてケースを上方へ引き上げていく。
【０００６】
ここで、内接部は係止部の上向きの円輪状の係止面と円周端部とを有し、該係止面と円周端部とは、所定距離ｈ１を備え、その所定距離ｈ１は、第１第２のラチェット歯の歯高「Ｈ×２」となっている。したがって、ケースは上方に移動できる距離Ｈの２倍の位置で停止し、その位置において、係止部は上向きの円輪状の係止面が回転部材側のラチェット基体の下面に引っ掛かり、そこで係止されて所定の位置に固定される状態となる。
【０００７】
このように、確認装置を締付装置の中に最後まで適正に挿入できた状態が「施工完了」の状態である。そして、この状態においてリング状部を表示部から引っ張って引きちぎることにより、「施工完了」が明確に示される。
【０００８】
また、上記の締付装置とほぼ同様のナットタイプの締付装置の従来技術として、例えば、図４の（ａ）〜（ｄ）に示すようなものがある。ナットタイプの締付装置は製造時に規定の軸力（軸部に働く締付け力）にチューニングされたナットであり、図４（ａ）は、この締付装置１におけるステージ１としての組立て後のナット状況を示している。
【０００９】
この状況において回転部材２における締付け用のヘッド（ナット部）２ａと一体になった第１のラチェット基体２ｂの下面に突設された第１のラチェット歯２ｃが、第２のラチェット基体３の上面に突設された第２のラチェット歯３ａと噛み合っている。第２のラチェット基体３の内側の下部に設けられた円筒状のねじ部４は、下方から挿通されるボルト５のねじ部と螺合する。第２のラチェット基体３の外側の下面は皿ばね６の上面に当接し、該皿ばね６の下面は断面逆Ｌ形の座金７に当接している。該座金７の下端面は被締付部材８に当接している。
【００１０】
回転部材２、第２のラチェット基体３、皿ばね６及び座金７の各部材はケース（ハウジング）９によって覆われており、該ケース９の上下の両端部は内側に曲げられて、第１のラチェット基体２ｂの上面の縁部と座金７の円弧状の下面とに係止されている。このステージ１の状況では回転部材２における第１のラチェット歯２ｃの歯高Ｈは、皿ばね６の撓みに等しい。そしてケース９内各部品間にガタは無く戻しばね１０は圧死している。
【００１１】
図４（ｂ）に示すステージ２においてヘッド２ａを回してねじ部４をボルト５にねじ込んでいくと、第１のラチェット歯２ｃのすべり及びねじ部４の進行により皿ばね６は徐々に圧縮され、その圧縮量に見合った力を発生する。
【００１２】
図４（ｃ）はステージ３としての締付作業完了直前の状態を示しており、第１のラチェット歯２ｃは歯高Ｈいっぱいに持ち上がり、その分、皿ばね６は圧縮されている。この圧縮力をボルト５と第１のラチェット歯２ｃで受けている。
【００１３】
図４（ｄ）はステージ４としての締付作業完了状態を示している。規制された軸力（締付け力）に締付けられた締付作業完了状態では、皿ばね６の圧縮力は全てボルト５に預けられている。ケース９は戻しばね１０により下方へ引き寄せられ、第１のラチェット歯２ｃと第２のラチェット歯３ａは歯を噛み合わせて戻し時の空転を防止している。
【００１４】
図５の（ａ）、（ｂ）は、上記の締付装置１に対する従来の第１の施工確認装置としての赤色板離脱式施工確認装置を示している。この赤色板離脱式施工確認装置は、ヘッド２ａの上下動を利用して締付前後の確認をナット頭部にある確認板（赤色板）１１の有無で判断するものである。
【００１５】
図５（ａ）に示すステージ１としての締付前は、第１のラチェット歯２ｃと第２のラチェット歯３ａが噛み合っている。そのとき、確認板（赤色板）１１はカラー１２に貼り付いており締付前の赤色を表示している。ステージ２でヘッド２ａを回してねじ部４をボルト５にねじ込んでいくと、第１のラチェット歯２ｃと第２のラチェット歯３ａが滑り始める。この時点でも確認板（赤色板）１１はカラー１２に貼り付いている。次いで、ステージ３の締付作業完了直前の状態になると第１のラチェット歯２ｃと第２のラチェット歯３ａは歯高いっぱいに持ち上がる。それと同時に確認板（赤色板）１１はヘッド２ａに当たりカラー１２から離脱する。
【００１６】
図５（ｂ）に示すステージ４としての締付作業完了状態になると、確認板（赤色板）１１は無くなって、締付が完了したと判断される。この第１の施工確認装置（赤色板離脱式）の再使用は不可である。
【００１７】
図６の（ａ）、（ｂ）は、従来の第２の施工確認装置としてのスタンプ式施工確認装置を示している。このスタンプ式施工確認装置は、ヘッド２ａの回転及び上下動を利用し、特殊インクを注入したスタンプ１３を締付後、ろ紙１４で吸い取り締付前後の確認をヘッド頭部全体の色変化により判断するものである。
【００１８】
図６（ａ）に示すステージ１としての締付前は、第１のラチェット歯２ｃと第２のラチェット歯３ａが噛み合っている。そのとき、カム１５ａとカム１５ｂも同様に噛み合っている。この時点で、スタンプ１３は、ろ紙１４に着かないようにコイルばね１６により離されている。ステージ２でヘッド２ａを回してボルト１７を相手ネジ１８にねじ込んでいくと、第１のラチェット歯２ｃと第２のラチェット歯３ａが滑り始める。それと同時に、カム１５ａとカム１５ｂも滑り始める。次いで、ステージ３の締付作業完了直前の状態になると第１のラチェット歯２ｃと第２のラチェット歯３ａは歯高いっぱいに持ち上がる。それと同時にカム１５ａとカム１５ｂも持ち上がる。
【００１９】
図６（ｂ）に示すステージ４としての締付作業完了状態になると、第１のラチェット歯２ｃと第２のラチェット歯３ａは戻しばね１０により下方へひき寄せられ、第１のラチェット歯２ｃと第２のラチェット歯３ａは歯を噛み合わせる。カム１５ａとカム１５ｂはカムの幅が広いため、持ち上がったままとなりスタンプ１３が、ろ紙１４に着き白色から黒色に変わる。これにより締付が完了したと判断される。この第２の施工確認装置（スタンプ式）の再使用は不可である。
【００２０】
図７の（ａ）、（ｂ）は、従来の第３の施工確認装置としてのゲージ式施工確認装置を示している。このゲージ式施工確認装置は、ヘッド２ａの回転を利用し、ボルト１７頭部のゲージ１９によるゲージ窓２０ａの色変化により締付前後の確認を判断するものである。
【００２１】
図７（ａ）に示すステージ１としての締付前は、ゲージシール２０におけるゲージ窓２０ａは白色を表示している。ステージ２でヘッド２ａを回してボルト１７を相手ネジ１８にねじ込んでいくと、第１のラチェット歯２ｃと第２のラチェット歯３ａが滑り始める。このとき、ゲージ窓２０ａに少し赤色を表示し始める。次いで、ステージ３の締付作業完了直前の状態になると第１のラチェット歯２ｃと第２のラチェット歯３ａは歯高いっぱいに持ち上がる。それと同時にゲージ窓２０ａの半分が赤色を表示する。
【００２２】
図７（ｂ）に示すステージ４としての締付作業完了状態になると、ゲージ窓２０ａは赤色を表示する。これにより締付が完了したと判断される。締付後、第１のラチェット歯２ｃと第２のラチェット歯３ａの遊び確認を行っても赤色に範囲を持たせてあるため赤色のみを表示する。この第３の施工確認装置（ゲージ式）の再使用は可である。
【先行技術文献】
【特許文献】
【００２３】
【特許文献１】特開２０１０−８９２４１号公報
【発明の概要】
【発明が解決しようとする課題】
【００２４】
特許文献１に記載の従来技術においては、締め込み施工の確認装置が、締付装置の締付作業が完了した状態において回転部材の貫通穴に挿入される。そして確認装置における内接部の円周端部を第１のラチェット歯側のラチェット部材の上面に当接しておいてケースを上方へ引き上げていくという操作を行っている。
【００２５】
そしてケースが第１第２のラチェット歯の歯高「Ｈ×２」まで上方に移動した位置において内接部に突出させた係止部を回転部材側のラチェット基体の下面に引っ掛け、内接部を所定の挿入位置に固定した状態としている。このように、確認装置を締付装置の中に最後まで適正に挿入できた状態が「施工完了」の状態であり、この状態においてリング状部を表示部から引っ張って引きちぎることにより「施工完了」を明示するようにしている。このため、締め込み施工完了時の確認操作がやや複雑である。
【００２６】
図４の（ａ）〜（ｄ）は、従来のナットタイプの締付装置のみを示しており、この締付装置に対する施工確認装置についての開示は無い。
【００２７】
また、図５の（ａ）、（ｂ）乃至図７の（ａ）、（ｂ）は、上記の締付装置等に対する第１乃至第３の施工確認装置を示している。しかし、これらの施工確認装置はいずれも構造が複雑であり、コスト高についている。
【００２８】
そこで、施工確認対象がナットタイプの締付装置である場合において、構造が簡易でありながらヘッドの締付が完了しないと該締付装置から意図的に外すのが困難であるとともにヘッドの締付完了を目視により容易、且つ的確に判断し、さらにはコスト低減を図るために解決すべき技術的課題が生じてくるのであり、本発明はこの課題を解決することを目的とする。
【課題を解決するための手段】
【００２９】
本発明は上記目的を達成するために提案されたものであり、請求項１記載の発明は、ナット部としてのヘッド及びハウジングとしてのケースを備えたナットタイプの締付装置における前記ヘッドの締付完了を判断する締付装置の施工確認装置であって、座部近傍の内周部に前記ケースの外径よりも所要量小径の肉厚部を有し前記ヘッドによる締付前に該肉厚部より上方の内周部に前記ケースの下部側が内嵌されるとともに一部の部位に破断容易性形状部を有する低高筒状体と、前記ヘッドに外嵌されるリング部と、該リング部及び前記低高筒状体を一体に連結する連結部とを備え、前記締付装置における前記ヘッドの締付完了時に前記ケースが下降して該ケースの下部側が前記肉厚部に乗り上げ前記低高筒状体における前記破断容易性形状部が破断することにより前記ヘッドの締付完了を判断する締付装置の施工確認装置を提供する。
【００３０】
この構成によれば、施工確認装置は、締付装置におけるヘッドの締付前、上部のリング部が締付装置側のナット部に外嵌され、下部の低高筒状体に締付装置側のケースの下方部が嵌め込まれて施工確認対象である締付装置に装着される。該締付装置におけるヘッドの締付けが規制された軸力に達した締付完了時には、前記ケースが下降してその下方部が低高筒状体の肉厚部に乗り上げることで該低高筒状体に拡径傾向が生じ破断容易性形状部の部分が破断する。これによりヘッドの締付が完了したと判断される。
【００３１】
請求項２記載の発明は、請求項１記載の発明において、上記破断容易性形状部は、上記低高筒状体の高さ方向に沿って形成されるとともに高さ方向ほぼ半分の下方部分が薄肉で繋がっているスリットである締付装置の施工確認装置を提供する。
【００３２】
この構成によれば、破断容易性形状部を高さ方向ほぼ半分の下方部分が薄肉で繋がっているスリットとしたことで、締付装置におけるヘッドの締付完了時に該締付装置のケースが下降してその下方部が低高筒状体の肉厚部に乗り上げ、該低高筒状体に拡径傾向が生じたとき、スリットの部分が容易且つ、確実に破断する。
【００３３】
請求項３記載の発明は、請求項１又は２記載の発明において、スパナを含むヘッド回し工具を用いた上記ヘッドの締付により上記破断容易性形状部が破断した前記ヘッドの締付完了時に、上記リング部は上記ヘッドに外嵌された状態で前記ヘッド回し工具と上記ケースの上面部との間に挟まれて上記締付装置からの施工確認装置の脱落を防止する機能を有する締付装置の施工確認装置を提供する。
【００３４】
この構成によれば、スパナを含むヘッド回し工具を用いたヘッドの締付完了時にリング部がヘッドに外嵌された状態でヘッド回し工具とケースの上面部との間に挟まれて低高筒状体における破断容易性形状部が破断した施工確認装置の締付装置からの脱落が防止される。その後、ヘッド回し工具をヘッドから外すことで施工確認装置は締付装置から外される。
【発明の効果】
【００３５】
請求項１記載の発明は、締付装置におけるヘッドの締付前、施工確認装置は上部のリング部が締付装置側のナット部に外嵌され、下部の低高筒状体には締付装置側のケースの下方部が嵌め込まれる。
【００３６】
このため、締付装置に装着した施工確認装置は、ヘッドの締付が完了しないと締付装置から意図的に外すのが困難となる。また、締付装置におけるヘッドの締付完了時には、低高筒状体における破断容易性形状部の部分が破断することで、ヘッドの締付完了を目視により容易、且つ的確に判断することができる。
【００３７】
さらに、施工確認装置は、破断容易性形状部を有する低高筒状体と、該低高筒状体に連結部を介して一体に連結されたリング部とで簡易に構成されている。このため、コスト低減を図ることができるという利点がある。
【００３８】
請求項２記載の発明は、請求項１記載の発明の効果に加えてさらに、破断容易性形状部を高さ方向ほぼ半分の下方部分が薄肉で繋がっているスリットとしたことで、締付装置におけるヘッドの締付完了時に低高筒状体に拡径傾向が生じたとき破断容易性形状部の部分を一層容易且つ、確実に破断させることができるとともに該破断したことを目視により明確に判断することができるという利点がある。
【００３９】
請求項３記載の発明は、請求項１又は２記載の発明の効果に加えてさらに、ヘッドの締付完了時に破断容易性形状部が破断した施工確認装置を締付装置から外して施工現場から持ち帰ることにより所定箇所が確実に締め付けられたかどうかの確認を得ることができて、締付施工の管理に利用することができるという利点がある。
【図面の簡単な説明】
【００４０】
【図１】本発明の実施例に係る締付装置の施工確認装置を示す図であり、（ａ）は平面図、（ｂ）は図（ａ）中のＸ−Ｘ線に沿う断面図、（ｃ）は図（ａ）のスリット側から見た側面図、（ｄ）は図（ｃ）の左側面図。
【図２】図１の施工確認装置をナットタイプの締付装置へ装着した状態を示す図であり、（ａ）は平面図、（ｂ）は図（ａ）のスリット側から見た側面図、（ｃ）は図（ｂ）の左側面図。
【図３】図２の施工確認装置をナットタイプの締付装置へ装着した状態において、該締付装置におけるヘッドの締付完了時にスリットの部分が破断した状態を示す図２（ｂ）と同様の側面図。
【図４】従来のナットタイプの締付装置を一部断面で示す正面図であり、（ａ）はステージ１としての組立て後のナット状況を示す図、（ｂ）はステージ２においてヘッドを回してねじ部をボルトにねじ込んでいく状況を示す図、（ｃ）はステージ３としての締付作業完了直前の状態を示す図、（ｄ）はステージ４としての締付作業完了状態を示す図。
【図５】図４のナットタイプの締付装置に対する従来の第１の施工確認装置としての赤色板離脱式施工確認装置を示す正面断面図であり、（ａ）はステージ１としての締付装置が締付前の状態のときを示す図、（ｂ）はステージ４としての締付装置が締付作業完了状態となったときを示す図。
【図６】従来の第２の施工確認装置としてのスタンプ式施工確認装置を示す正面断面図であり、（ａ）はステージ１としての締付装置が締付前の状態のときを示す図、（ｂ）はステージ４としての締付装置が締付作業完了状態となったときを示す図。
【図７】従来の第３の施工確認装置としてのゲージ式施工確認装置を示す正面断面図であり、（ａ）はステージ１としての締付装置が締付前の状態のときを示す図、（ｂ）はステージ４としての締付装置が締付作業完了状態となったときを示す図。
【発明を実施するための形態】
【００４１】
本発明は、施工確認対象がナットタイプの締付装置である場合において、構造が簡易でありながらヘッドの締付が完了しないと該締付装置から意図的に外すのが困難であるとともにヘッドの締付完了を目視により容易、且つ的確に判断し、さらにはコスト低減を図るという目的を達成するために、ナット部としてのヘッド及びハウジングとしてのケースを備えたナットタイプの締付装置における前記ヘッドの締付完了を判断する締付装置の施工確認装置であって、座部近傍の内周部に前記ケースの外径よりも所要量小径の肉厚部を有し前記ヘッドによる締付前に該肉厚部より上方の内周部に前記ケースの下部側が内嵌されるとともに一部の部位に破断容易性形状部を有する低高筒状体と、前記ヘッドに外嵌されるリング部と、該リング部及び前記低高筒状体を一体に連結する連結部とを備え、前記締付装置における前記ヘッドの締付完了時に前記ケースが下降して該ケースの下部側が前記肉厚部に乗り上げ前記低高筒状体における前記破断容易性形状部が破断することにより前記ヘッドの締付完了を判断することにより実現した。
【実施例１】
【００４２】
以下、本発明の好適な実施例を図１の（ａ）〜（ｄ）乃至図３を参照して説明する。本実施例は、施工確認対象として前記図4の（ａ）〜（ｄ）に示したナットタイプの締付装置が適用されている。まず、本実施例に係る締付装置の施工確認装置の構成を説明する。
【００４３】
図１の（ａ）〜（ｄ）において、施工確認装置２１は、座部近傍の内周部に前記締付装置におけるケースの外径よりも所要量小径の肉厚部２２ａを有し前記締付装置のヘッドによる締付前に該肉厚部２２ａより上方の内周部に前記ケースの下部側が内嵌されるとともに一部の部位に破断容易性形状部としての高さ方向に沿ったスリット２３を有する低高筒状体２２と、前記締付装置におけるヘッドに外嵌されるリング部２４と、該リング部２４及び前記低高筒状体２２を一体に連結する連結部２５とで構成されている。
【００４４】
前記破断容易性形状部としてのスリット２３は、高さ方向ほぼ半分の下方部分が薄肉部２３ａで繋がっている（図１（ｃ））。なお、破断容易性形状部としてはスリット２３に限らず、Ｖ形の切欠き形状等であってもよい。
【００４５】
また、前記低高筒状体２２は、平面視が真円形状に形成されるのを基本とするが、平面視が一見円形に見える程度の楕円状に形成されていてもよい。低高筒状体２２を平面視が楕円状に形成した場合、前記スリット２３等からなる破断容易性形状部は、該楕円状の短径部側の部位に形成される。
【００４６】
締付装置におけるヘッドの締付完了時には、該締付装置におけるケースが下降して該ケースの下部側が低高筒状体２２における肉厚部２２ａに乗り上げ、破断容易性形状部としての薄肉部２３ａを持つスリット２３の部分が破断する。該破断容易性形状部は、この破断の部位を特定しやすくするために設けられている。
【００４７】
スパナを含むヘッド回し工具を用いた前記ヘッドの締付により、スリット２３等からなる破断容易性形状部が破断してヘッドの締付けが完了したとき、前記リング部２４は前記ヘッドに外嵌された状態で前記ヘッド回し工具と前記ケースの上面部との間に挟まれて締付装置からの施工確認装置２１の脱落を防止する機能も持っている。
【００４８】
次に、図２の（ａ）、（ｂ）、（ｃ）及び図３を用いて、上述のように構成された施工確認装置の締付装置への装着及び作用を説明する。図２の（ａ）、（ｂ）、（ｃ）において施工確認装置２１は、締付装置１におけるヘッド２ａの締付前、上部のリング部２４が締付装置１側のヘッド２ａに外嵌され、下部の低高筒状体２２における上方の内周部に締付装置１側のケース９の下方部が嵌め込まれて施工確認対象である締付装置１に装着される。
【００４９】
ナットタイプの締付装置１は軸力（締付け力）が規制されたナットであるが、上記のように該締付装置１に施工確認装置２１を装着後、ヘッド２ａを手で締め付けた程度ではケース９が下降してその下方部が低高筒状体２２の肉厚部２２ａに乗り上げることはない。ヘッド２ａをスパナを含むヘッド回し工具で締め付けることによりケース９が下降してその下方部が低高筒状体２２の肉厚部２２ａに密接して該肉厚部２２ａに乗り上げるようになる。
【００５０】
そして、締付装置１におけるヘッド２ａの締付けが規制された軸力に達した締付完了時には、前記ケース９が下降してその下方部が低高筒状体２２の肉厚部２２ａに乗り上げることで該低高筒状体２２に拡径傾向が生じる。この拡径傾向により、破断容易性形状部としてのスリット２３は高さ方向ほぼ半分の下方部分が薄肉部２３ａで繋がっていることで該スリット２３の部分が容易且つ、確実に破断する。このスリット２３の破断によりヘッド２ａの締付が完了したと判断される（図３）。
【００５１】
このとき、低高筒状体２２における破断容易性形状部としてのスリット２３が破断した施工確認装置２１は、リング部２４がヘッド２ａに外嵌された状態でヘッド回し工具とケース９の上面部との間に挟まれて締付装置１からの脱落が防止される。その後、ヘッド回し工具をヘッド２ａから外すことで施工確認装置２１は締付装置１から外される。
【００５２】
上述したように、本実施例に係る締付装置の施工確認装置においては、締付装置におけるヘッド２ａの締付前、施工確認装置２１は上部のリング部２４が締付装置側のヘッド２ａに外嵌され、下部の低高筒状体２２には締付装置側のケースの下方部が嵌め込まれる。このため、締付装置に装着した施工確認装置２１は、ヘッド２ａの締付が完了しないと締付装置から意図的に外すのが困難となる。
【００５３】
締付装置におけるヘッド２ａの締付完了時には、低高筒状体２２における破断容易性形状部としてのスリット２３の部分が破断することで、ヘッド２ａの締付完了を目視により容易、且つ的確に判断することができる。
【００５４】
施工確認装置２１は、破断容易性形状部としてのスリット２３を有する低高筒状体２２と、該低高筒状体２２に連結部２５を介して一体に連結されたリング部２４とで簡易に構成されている。このため、コスト低減を図ることができる。
【００５５】
破断容易性形状部を高さ方向ほぼ半分の下方部分が薄肉部２３ａで繋がっているスリット２３としたことで、締付装置におけるヘッド２ａの締付完了時に低高筒状体２２に拡径傾向が生じたとき破断容易性形状部の部分を一層容易且つ、確実に破断させることができるとともに該破断したことを目視により明確に判断することができる。
【００５６】
ヘッド２ａの締付完了時に破断容易性形状部としてのスリット２３が破断した施工確認装置２１を締付装置から外して施工現場から持ち帰ることにより所定箇所が確実に締め付けられたかどうかの確認を得ることができて、締付施工の管理に利用することができる。
【００５７】
低高筒状体２２を平面視楕円状に形成し、スリット２３等からなる破断容易性形状部を該楕円状の短径部側の部位に形成したときは、締付装置におけるヘッド２ａの締付完了時に楕円状の短径部側には長径部側よりも大きな拡径傾向が生じる。このため、破断容易性形状部としてのスリット２３の部分を一層容易且つ、確実に破断させることができる。
【００５８】
なお、本発明は、本発明の精神を逸脱しない限り種々の改変をなすことができ、そして、本発明が該改変されたものにも及ぶことは当然である。
【産業上の利用可能性】
【００５９】
構造が簡易でありながら締付装置におけるヘッドの締付が完了しないと該締付装置から意図的に外すのが困難であるとともにヘッドの締付完了を目視により容易、且つ的確に判断し、さらにはコスト低減を図ることが不可欠な電力関連工事等における締付装置の施工確認に広く適用することが可能である。
【符号の説明】
【００６０】
１            締付装置
２            回転部材
２ａ          ヘッド
２ｂ          第１のラチェット基体
２ｃ          第１のラチェット歯
３            第２のラチェット基体
３ａ          第２のラチェット歯
４            ねじ部
５            ボルト
６            皿ばね
７            座金
８            被締付部材
９            ケース
１０            戻しばね
１１            確認板（赤色板）
１２            カラー
１３            スタンプ
１４            ろ紙
１５ａ，１５ｂ  カム
１６            コイルばね
１７            ボルト
１８            相手ネジ
１９            ゲージ
２０            ゲージシール
２０ａ          ゲージ窓
２１            施工確認装置
２２            低高筒状体
２２ａ          肉厚部
２３            スリット（破断容易性形状部）
２３ａ          薄肉部
２４            リング部
２５            連結部
【図１】
2013148194.tif 000003
【図２】
2013148194.tif 000004
【図３】
2013148194.tif 000005
【図４】
2013148194.tif 000006
【図５】
2013148194.tif 000007
【図６】
2013148194.tif 000008
【図７】
2013148194.tif 000009